(57)【要約】【課題】記憶装置に記憶されているファイルの画像リストを迅速に表示することできる画像処理装置を提供する。【解決手段】ＵＳＢメモリー１０に保存されているファイルのそれぞれの拡張子を確認し、サムネイル画像が含まれている可能性があるファイルの拡張子である場合、ファイル内にサムネイル画像が含まれているか否かを判定する拡張子判定部８１と、サムネイル画像が含まれているファイルからサムネイル画像を読み出し、サムネイル画像が含まれているファイルの欄に読み出したサムネイル画像を配置すると共に、サムネイル画像が含まれていないファイルの欄に空白画像や予め用意されている定型画像を配置した画像リストを生成して表示部２２に表示させる画像リスト生成部８２と、サムネイル画像が含まれていないファイルからサムネイル画像を生成し、画像リストに追加表示させるサムネイル生成部８３とを備えている。【選択図】図１
2020075360.tif 000002
【特許請求の範囲】
【請求項１】
記憶装置に保存されているファイルのサムネイル画像を表示部に一覧表示する画像処理装置であって、
前記記憶装置に保存されている前記ファイルのそれぞれの拡張子を確認し、前記サムネイル画像が含まれている可能性がある前記ファイルの拡張子である場合、前記ファイル内に前記サムネイル画像が含まれているか否かを判定する拡張子判定部と、
前記サムネイル画像が含まれている前記ファイルから前記サムネイル画像を読み出し、前記サムネイル画像が含まれている前記ファイルの欄に読み出した前記サムネイル画像を配置すると共に、前記サムネイル画像が含まれていない前記ファイルの欄に空白画像や予め用意されている定型画像を配置した画像リストを生成して前記表示部に表示させる画像リスト生成部と、
前記サムネイル画像が含まれていない前記ファイルから前記サムネイル画像を生成し、前記画像リストに追加表示させるサムネイル生成部と、を具備することを特徴とする画像処理装置。
【請求項２】
記憶装置に保存されているファイルのサムネイル画像を表示部に表示する画像処理装置であって、
指定された前記ファイルのそれぞれの拡張子を確認し、前記サムネイル画像が含まれている可能性がある前記ファイルの拡張子である場合、前記ファイル内に前記サムネイル画像が含まれているか否かを判定する拡張子判定部と、
前記サムネイル画像が含まれていない前記ファイルから前記サムネイル画像を生成するサムネイル生成部と、
指定された前記ファイルに前記サムネイル画像が含まれている場合、指定された前記ファイルに含まれている前記サムネイル画像を読み出して前記表示部に表示させ、指定された前記ファイルに前記サムネイル画像が含まれていない場合、前記サムネイル生成部によって生成された前記サムネイル画像を前記表示部に表示させるサムネイル表示制御部と、を具備することを特徴とする画像処理装置。
【請求項３】
前記サムネイル表示制御部は、指定された前記ファイルの前記サムネイル画像に隣接させて、他の前記ファイルの前記サムネイル画像を変更候補サムネイルとして縮小表示させ、前記表示部に表示された前記サムネイル画像へのフリック操作によって、前記変更候補サムネイルとして縮小表示された前記ファイルへの指定変更を受け付けることを特徴とする請求項２記載の画像処理装置。
【発明の詳細な説明】
【技術分野】
【０００１】
本発明は、記憶装置に記憶されている画像を表示装置にサムネイル表示する画像処理装置に関する。
【背景技術】
【０００２】
印刷プレビュー画像からサムネイル画像を生成し、生成したサムネイル画像を印刷プレビュー画像の元になった原画像に関連付けて記憶装置に保存する技術が提案されている（例えば、特許文献１参照）。これにより、記憶装置に記憶されている画像のリストとしてサムネイル画像のリストを迅速に表示することができる。
【先行技術文献】
【特許文献】
【０００３】
【特許文献１】特開２０１２−１５７９７７号公報
【発明の概要】
【発明が解決しようとする課題】
【０００４】
しかしながら、記憶装置がＵＳＢメモリー等の着脱可能なタイプである場合、原画像に関連付けてサムネイル画像が記憶されているとは限らない。この場合、記憶装置に記憶されているファイルの画像リストを表示する際に、全てのファイルに対してサムネイル画像を生成した後に画像リストを表示することになり、画像リストが表示されるまでに時間がかかるという問題点があった。
【０００５】
本発明は、上記問題点を鑑みてなされたものであり、その目的とするところは、記憶装置に記憶されているファイルの画像リストを迅速に表示することできる画像処理装置を提供することを目的とする。
【課題を解決するための手段】
【０００６】
本発明の画像処理装置は、記憶装置に保存されているファイルのサムネイル画像を表示部に一覧表示する画像処理装置であって、前記記憶装置に保存されている前記ファイルのそれぞれの拡張子を確認し、前記サムネイル画像が含まれている可能性がある前記ファイルの拡張子である場合、前記ファイル内に前記サムネイル画像が含まれているか否かを判定する拡張子判定部と、前記サムネイル画像が含まれている前記ファイルから前記サムネイル画像を読み出し、前記サムネイル画像が含まれている前記ファイルの欄に読み出した前記サムネイル画像を配置すると共に、前記サムネイル画像が含まれていない前記ファイルの欄に空白画像や予め用意されている定型画像を配置した画像リストを生成して前記表示部に表示させる画像リスト生成部と、前記サムネイル画像が含まれていない前記ファイルから前記サムネイル画像を生成し、前記画像リストに追加表示させるサムネイル生成部と、を具備することを特徴とする。
また、本発明の画像処理装置は、記憶装置に保存されているファイルのサムネイル画像を表示部に表示する画像処理装置であって、指定された前記ファイルのそれぞれの拡張子を確認し、前記サムネイル画像が含まれている可能性がある前記ファイルの拡張子である場合、前記ファイル内に前記サムネイル画像が含まれているか否かを判定する拡張子判定部と、前記サムネイル画像が含まれていない前記ファイルから前記サムネイル画像を生成するサムネイル生成部と、指定された前記ファイルに前記サムネイル画像が含まれている場合、指定された前記ファイルに含まれている前記サムネイル画像を読み出して前記表示部に表示させ、指定された前記ファイルに前記サムネイル画像が含まれていない場合、前記サムネイル生成部によって生成された前記サムネイル画像を前記表示部に表示させるサムネイル表示制御部と、を具備することを特徴とする。
【発明の効果】
【０００７】
本発明によれば、ファイルに含まれているサムネイル画像を用いて、記憶装置に保存されているファイルの画像リストを迅速に表示することができるという効果を奏する。
【図面の簡単な説明】
【０００８】
【図１】本発明に係る画像処理装置の第１の実施の形態の概略構成を示すブロック図である。
【図２】図１に示す画像処理装置によるサムネイル画像の一覧表示動作を説明するフローチャートである。
【図３】図１に示す表示部への画像リストの表示例を図である。
【図４】図１に示す表示部へのファイル名リスト、サムネイル画像及びプレビュー画像の表示例を図である。
【図５】図１に示す画像処理装置によるサムネイル画像の表示動作を説明するフローチャートである。
【図６】図１に示す画像処理装置によるサムネイル画像の表示動作を説明する説明図である。
【発明を実施するための形態】
【０００９】
以下、図を参照して本発明の実施の形態を詳細に説明する。なお、以下の実施の形態において、同様の機能を示す構成には、同一の符号を付してある。
【００１０】
本実施の形態の画像処理装置１は、プリンター、複写機、ＭＦＰ（Multifunction Peripheral/Printer/Product）等の画像形成装置であり、図１を参照すると、操作部２と、原稿読取部３と、記憶部４と、画像形成部５と、ＵＳＢポート６と、ＵＳＢコントローラー７と、制御部８とを備えている。
【００１１】
操作部２は、画像処理装置１の設定や動作指示を行う各種操作キーやタッチパネル等で構成を備え、各種操作を受け付ける入力部２１として機能すると共に、各種操作キーや画像形成状況を表示する表示部２２として機能する。
【００１２】
原稿読取部３は、図示しない原稿給紙装置により給紙されてきた原稿や、ユーザーによってプラテンガラスに載置された原稿に対して光を照射し、その反射光等を受光して原稿画像を読み取るスキャナーである。
【００１３】
記憶部４は、半導体メモリーやＨＤＤ等の記憶手段であり、原稿読取部３によって読み取られた画像や、図示しない通信部によって受信された印刷データ等が蓄積される記憶手段である。
【００１４】
画像形成部５は、記憶部４に記憶された画像を印刷する印刷手段である。画像形成部５は、例えば、記憶部４から読み出した画像に基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１５】
ＵＳＢポート６は、ＵＳＢ規格に準拠し、着脱可能な外部記憶装置であるＵＳＢメモリー１０が装着されると検出信号を出力する機能と、ＵＳＢメモリー１０に記憶されたデータを読み出し、読み出したデータをＵＳＢコントローラー７に出力する機能を有している。
【００１６】
ＵＳＢコントローラー７は、ＵＳＢポート６からの検出信号に基づいてＵＳＢメモリー１０がＵＳＢポート６に装着されているか否かを判定する機能と、データ読み出し命令を制御部８から受け取ると、ＵＳＢメモリー１０に記憶されたデータを読み出して制御部８に出力する機能とを備えている。
【００１７】
制御部８は、操作部２、原稿読取部３、記憶部４、画像形成部５及びＵＳＢコントローラー７にそれぞれ接続されている。制御部８は、ＣＰＵ（Central Processing Unit）、ＲＯＭ（Read Only Memory）、ＲＡＭ（Random Access Memory）等を備えたマイクロコンピュータ等の情報処理部である。ＲＯＭには画像処理装置１の動作制御を行うための制御プログラムが記憶されている。ＣＰＵは、ＲＯＭに記憶されている制御プログラムを読み出し、制御プログラムをＲＡＭに展開させることで、装置全体の制御を行う。
【００１８】
また、制御部８は、拡張子判定部８１、画像リスト生成部８２及びサムネイル生成部８３、サムネイル表示制御部８４として機能する。
【００１９】
次に、画像処理装置１によるサムネイル画像の一覧表示動作について図２及び図３を参照して詳細に説明する。
入力部２１によってＵＳＢメモリー１０に保存されているファイルのサムネイル画像を用いた画像リストの表示操作を受け付けると、制御部８は拡張子判定部８１として機能する。
【００２０】
拡張子判定部８１は、ＵＳＢメモリー１０に保存されているファイルを検知し（ステップＳ１０１）、検知したファイルのそれぞれの拡張子を確認する（ステップＳ１０２）。
【００２１】
次に、拡張子判定部８１は、拡張子が予め設定された特定拡張子であるか否かを判定する（ステップＳ１０３）。なお、ファイル内にサムネイル画像が含まれている可能性があるファイルの拡張子、例えば、ＰＤＦ、ＸＰＳが、特定拡張子として設定されている。
【００２２】
次に、拡張子判定部８１は、ステップＳ１０３で特定拡張子であるファイルにサムネイル画像が含まれているか否かを判定する（ステップＳ１０４）。
【００２３】
次に、画像リスト生成部８２は、ステップＳ１０４でサムネイル画像が含まれているファイルからサムネイル画像を読み出す。そして、画像リスト生成部８２は、図３（ａ）に示すように、サムネイル画像が含まれていないファイルの欄に空白画像や予め用意されている定型画像を配置し、サムネイル画像が含まれているファイルの欄に読み出したサムネイル画像を配置した画像リストを生成し、表示部２２に表示させる（ステップＳ１０５）。
【００２４】
図３（ａ）には、サムネイル画像が含まれていない１、３、６、８番目のファイルの欄に空白画像が配置され、サムネイル画像が含まれている２、４、５、７のファイルの欄にサムネイル画像が配置された画像リストの例が示されている。
【００２５】
次に、サムネイル生成部８３は、ステップＳ１０３で特定拡張子でないファイルと、ステップＳ１０４でサムネイル画像が含まれていないファイルとからサムネイル画像を生成する（ステップＳ１０６）。そして、サムネイル生成部８３は、生成したサムネイル画像を、ステップＳ１０４で表示部２２に表示させた画像リストに追加表示させ（ステップＳ１０７）、動作を終了する。
【００２６】
なお、ステップＳ１０６でプレビュー画像を作成したファイルは、作成したプレビュー画像含んだ新規のＰＤＦやＸＰＳ等のファイルに置き換えることもできる。この場合、ファイルサイズが大きくなるので、置き換えるか否かをユーザーが選択するようにしても良く、自動で置き換えるようにしても良い。
【００２７】
次に、画像処理装置１による指定されたサムネイル画像の表示動作について図４乃至図６を参照して詳細に説明する。
【００２８】
入力部２１によってＵＳＢメモリー１０に保存されているファイルのファイル名リストの表示操作を受け付けると、制御部８は、図４（ａ）に示すように、指定を受け付けるチェック欄が設けられたファイル名リストを表示部２２に表示させる。このファイル名リストには、指定されたファイルの印刷指示を受け付けるプリントボタン２３と、指定されたファイルのサムネイル表示指示を受け付けるサムネイルボタン２４と、指定されたファイルのプレビュー表示指示を受け付けるプレビューボタン２５とが隣接配置される。
【００２９】
サムネイルボタン２４の操作を受け付けると、制御部８はサムネイル表示制御部８４として機能し、図４（ｂ）に示すように、指定されたファイルのサムネイル画像を表示部２２に表示させる。このサムネイル画像には、プリントボタン２３と、プレビューボタン２５と、図４（ａ）に示すファイル名リストの表示を受け付けるファイルボタン２６とが隣接配置される。また、サムネイル表示制御部８４は、表示部２２に表示されたサムネイル画像へのフリック操作によって、サムネイル画像を表示させるファイルの指定変更を受け付ける。
【００３０】
プレビューボタン２５の操作を受け付けると、制御部８は、図４（ｃ）に示すように、指定されたファイルのプレビュー画像を表示部２２に表示させる。このプレビュー画像には、プリントボタン２３と、サムネイルボタン２４と、ファイルボタン２６とが隣接配置される。また、制御部８は、表示部２２に表示されたプレビュー画像へのフリック操作によって、サムネイル画像を表示させる頁の変更を受け付ける。
【００３１】
図５を参照すると、サムネイルボタン２４の操作を受け付けた制御部８は拡張子判定部８１として機能し、指定されたファイルの拡張子を確認する（ステップＳ２０１）。
【００３２】
次に、拡張子判定部８１は、拡張子が予め設定された特定拡張子であるか否かを判定し（ステップＳ２０２）、ステップＳ２０２で特定拡張子であるファイルにサムネイル画像が含まれているか否かを判定する（ステップＳ２０３）。
【００３３】
ステップＳ２０３でサムネイル画像が含まれている場合、サムネイル表示制御部８４は、ファイルからサムネイル画像を読み出し、図６（ａ）に示すように、サムネイル画像を表示部２２に表示させる（ステップＳ２０４）。なお、サムネイル表示制御部８４は、措定されたファイルのサムネイル画像を表示する画面には、指定されたファイルの前後方向それぞれ２個のファイルのサムネイル画像を変更候補サムネイルとして、措定されたファイルのサムネイル画像に隣接して縮小表示する。なお、前後方向は、フリック操作によってファイルの指定が変更される指定変更方向である。
【００３４】
ステップＳ２０４の時点において、変更候補サムネイルは、空白画像や予め用意されている定型画像が配置される。図６（ａ）には、４番目のファイルのサムネイル画像が表示され、前後方向のそれぞれ２個のファイルとして２、３、５、６番目の変更候補サムネイルとして空白画像が配置された例が示されている。なお、変更候補サムネイルの数は任意である。
【００３５】
ステップＳ２０２で特定拡張子でない場合と、ステップＳ２０３でサムネイル画像が含まれていない場合、制御部８はサムネイル生成部８３として機能し、指定されたファイルとからサムネイル画像を生成し（ステップＳ２０５）、ステップＳ２０４に至る。
【００３６】
次に、拡張子判定部８１は、前後方向のそれぞれ２個のファイルの拡張子を確認する（ステップＳ２０６）。そして、拡張子判定部８１は、拡張子が予め設定された特定拡張子であるか否かを判定し（ステップＳ２０７）、ステップＳ２０２で特定拡張子であるファイルにサムネイル画像が含まれているか否かを判定する（ステップＳ２０８）。
【００３７】
ステップＳ２０８でサムネイル画像が含まれている場合、サムネイル表示制御部８４は、ファイルからサムネイル画像を読み出し、図６（ｂ）に示すように、左右の変更候補サムネイルのサイズに合わせてサムネイル画像を縮小して追加表示させる（ステップＳ２０９）。図６（ｂ）には、サムネイル画像が含まれた２、５番目のファイルのサムネイル画像が追加表示された例が示されている。
【００３８】
次に、サムネイル生成部８３は、ステップＳ２０７で特定拡張子でないファイルと、ステップＳ２０８でサムネイル画像が含まれていないファイルとからサムネイル画像を生成する（ステップＳ２１０）。そして、サムネイル生成部８３は、生成したサムネイル画像を、左右の変更候補サムネイルのサイズに合わせてサムネイル画像を縮小して追加表示させ（ステップＳ２１１）、動作を終了する。
【００３９】
以上説明したように、本実施の形態によれば、記憶装置であるＵＳＢメモリー１０に保存されているファイルのサムネイル画像を表示部２２に一覧表示する画像処理装置１であって、ＵＳＢメモリー１０に保存されているファイルのそれぞれの拡張子を確認し、サムネイル画像が含まれている可能性があるファイルの拡張子（ＰＤＦ、ＸＰＳ）である場合、ファイル内にサムネイル画像が含まれているか否かを判定する拡張子判定部８１と、サムネイル画像が含まれているファイルからサムネイル画像を読み出し、サムネイル画像が含まれているファイルの欄に読み出したサムネイル画像を配置すると共に、サムネイル画像が含まれていないファイルの欄に空白画像や予め用意されている定型画像を配置した画像リストを生成して表示部２２に表示させる画像リスト生成部８２と、サムネイル画像が含まれていないファイルからサムネイル画像を生成し、画像リストに追加表示させるサムネイル生成部８３とを備えている。
この構成により、ファイルに含まれているサムネイル画像を用いて、ＵＳＢメモリー１０に保存されているファイルの画像リストを迅速に表示することできる。
【００４０】
さらに、本実施の形態において、ＵＳＢメモリー１０に保存されているファイルのサムネイル画像を表示部２２に表示する画像処理装置１であって、指定されたファイルのそれぞれの拡張子を確認し、サムネイル画像が含まれている可能性があるファイルの拡張子である場合、ファイル内にサムネイル画像が含まれているか否かを判定する拡張子判定部８１と、サムネイル画像が含まれていないファイルからサムネイル画像を生成するサムネイル生成部８３と、指定されたファイルにサムネイル画像が含まれている場合、指定されたファイルに含まれているサムネイル画像を読み出して表示部２２に表示させ、指定されたファイルにサムネイル画像が含まれていない場合、サムネイル生成部８３によって生成されたサムネイル画像を表示部２２に表示させるサムネイル表示制御部８４とを備えている。
この構成により、ファイルにサムネイル画像が含まれている場合、ＵＳＢメモリー１０に保存されているファイルのサムネイル画像を迅速に表示することできる。
【００４１】
さらに、本実施の形態において、サムネイル表示制御部８４は、指定されたファイルのサムネイル画像に隣接させて、他のファイルのサムネイル画像を変更候補サムネイルとして縮小表示させ、表示部２２に表示されたサムネイル画像へのフリック操作によって、変更候補サムネイルとして縮小表示されたファイルへの指定変更を受け付ける。
この構成により、変更候補サムネイルを用意して表示しておくことで、サムネイル画像へのフリック操作によって所望のファイルに指定を変更することができると共に、指定が変更されたファイルのサムネイル画像を迅速に表示することできる。
【００４２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４３】
１  画像処理装置
２  操作部
３  原稿読取部
４  記憶部
５  画像形成部
６  ＵＳＢポート
７  ＵＳＢコントローラー
８  制御部
１０  ＵＳＢメモリー
２１  入力部
２２  表示部
２３  プリントボタン
２４  サムネイルボタン
２５  プレビューボタン
２６  ファイルボタン
８１  拡張子判定部
８２  画像リスト生成部
８３  サムネイル生成部
８４  サムネイル表示制御部
【図１】
2020075360.tif 000003
【図２】
2020075360.tif 000004
【図３】
2020075360.tif 000005
【図４】
2020075360.tif 000006
【図５】
2020075360.tif 000007
【図６】
2020075360.tif 000008